(57)【特許請求の範囲】
【請求項１】
表示手段と、
表示画像データを外部の表示装置に出力する出力手段と、
前記出力手段により出力された表示画像データが前記表示装置により表示された時の表示画面を撮像する撮像手段と、
前記撮像手段により撮像された前記表示画面の表示特性を判断する判断手段と、
前記判断手段により判断された表示特性に合わせるように、前記表示手段の表示特性を制御する制御手段と、
を備えることを特徴とする撮像装置。
【請求項２】
前記制御手段は、輝度、階調特性、色温度又は色バランスの少なくとも一つを前記表示特性として制御することを特徴とする請求項１記載の撮像装置。
【請求項３】
前記出力手段は、前記表示画像データとして前記表示装置の表示特性調整用の画像データを出力することを特徴とする請求項１又は２に記載の撮像装置。
【請求項４】
前記表示装置は、前記表示画像データに基づき画像を表示する画像表示装置、又は前記画像データに基づき画像を印刷するプリンターであり、
前記判断手段は、前記表示装置に表示される画像又は前記プリンターにより印刷された画像の表示特性を判断することを特徴とする請求項１から３にいずれか記載の撮像装置。
【請求項５】
表示手段を備えた画像表示装置の画像表示方法であって、
表示画像データを外部の表示装置に出力する出力ステップと、
前記出力ステップにて出力された表示画像データが前記表示装置により表示された時の表示画面を撮像する撮像ステップと、
前記撮像ステップにて撮像された状態の前記表示画面の表示特性を判断する判断ステップと、
前記判断ステップにて判断された表示特性に合わせるように、前記表示手段の表示特性を制御する制御ステップと、
を含むことを特徴とする画像表示方法。
【発明の詳細な説明】
【技術分野】
【０００１】
本発明は、外部の表示装置へ表示画像データを出力する画像表示装置及びこれに用いられる画像表示方法に関するものである。
【背景技術】
【０００２】
従来、ＦＥＤやＳＥＤ等を有する画像表示装置、例えばテレビ受像機においては、工場出荷前に検査及び画質調整を行う際に、各種装置が用いられている。例えば、カラーテレビ受像機の自動特性検査・特性調整装置においては、基本となるカラーテレビ受像機と検査対象のカラーテレビ受像機における、画像の差信号、表示されるテストパターン画像と正常画像との差信号、カラーバーの各色におけるＲ，Ｇ，Ｂの割合と正規のＲ，Ｇ，Ｂの割合との信号差を検出して、これら検出した差が小さくなるように、色相、コントラスト等の画質の調整を、目視によらず電気的に行う（例えば、特許文献１参照。）。
【特許文献１】特開平０６−２２５３４５号公報
【発明の開示】
【発明が解決しようとする課題】
【０００３】
このように、ディスプレイを有する装置にあっては、工場出荷前にディスプレイに対する画質調整がなされることにより、適正な画質で画像を表示可能な状態で出荷される。しかし、ＦＥＤやＳＥＤ等のディスプレイは、画素毎に分割された表示素子毎にデジタル的に表示処理を行うことから、発光素子や駆動列毎の発光特性や輝度のバラツキある。したがって、ユーザーの使用に伴う経年変化によりこの発光特性や輝度のバラツキが顕著となって、輝度の劣化や輝度ムラが不可避的に生じてしまう。無論、輝度ムラに限らず、階調特性等の表示面の表示特性に関連する各種要素に関しても、工場出荷後からの期間経過に伴って経年変化が生じてしまう。
【０００４】
このため、デジタルカメラで撮影した画像をＦＥＤやＳＥＤ等の外部モニターで再生した場合の画像は、ユーザがデジタルカメラに内蔵のＬＣＤモニターで視認して撮影した場合の画像とは異なる特性で表示されてしまう。
【０００５】
本発明は、かかる従来の課題に鑑みてなされたものであり、外部の表示装置の表示の特性に合わせるように、内蔵する表示手段の表示の特性を制御することのできる撮像装置及び画像再生方法を提供することを目的とする。
【課題を解決するための手段】
【０００６】
前記課題を解決するため請求項１に係る発明は、表示手段と、表示画像データを外部の表示装置に出力する出力手段と、前記出力手段により出力された表示画像データが前記表示装置により表示された時の表示画面を撮像する撮像手段と、前記撮像手段により撮像された前記表示画面の表示特性を判断する判断手段と、前記判断手段により判断された表示特性に合わせるように、前記表示手段の表示特性を制御する制御手段と、を備える。
【００１２】
また、請求項２に係る発明は、請求項１記載の画像表示装置であって、前記制御手段は、輝度、階調特性、色温度又は色バランスの少なくとも一つを前記表示特性として制御する。
【００１３】
また、請求項４に係る撮像装置にあっては、前記撮像手段は、異方向から撮像した画像を略正面方向からの画像に補正する補正手段を備える。したがって、ユーザがこの撮像装置を使用して、再生装置の再生画像を撮像した際、異方向から撮像を行っても、再生装置の再生特性に関連する要素の状態を適正に検出することのできる略正面方向からの画像を得ることができる。
【００１４】
また、請求項３に係る発明は、請求項１又は２記載の画像表示装置であって、前記出力手段は、前記表示画像データとして前記表示装置の表示特性調整用の画像データを出力する。
【００１５】
また、請求項４に係る発明は、請求項１から３にいずれか記載の画像表示装置であって、前記表示装置は、前記表示画像データに基づき画像を表示する画像表示装置、又は前記画像データに基づき画像を印刷するプリンターであり、前記判断手段は、前記表示装置に表示される画像又は前記プリンターにより印刷された画像の表示特性を判断する。
【００１７】
前記課題を解決するため請求項５に係る発明は、表示手段を備えた画像表示装置の画像表示方法であって、表示画像データを外部の表示装置に出力する出力ステップと、前記出力ステップにて出力された表示画像データが前記表示装置により表示された時の表示画面を撮像する撮像ステップと、前記撮像ステップにて撮像された状態の前記表示画面の表示特性を判断する判断ステップと、前記判断ステップにて判断された表示特性に合わせるように、前記表示手段の表示特性を制御する制御ステップと、を含む。
【発明の効果】
【００１９】
本発明によれば、経年変化等により外部の表示装置における表示特性が変化しても、これに左右されることなく、画像表示装置の表示手段で視認した表示特性を外部の表示装置の表示画面で表示した画像の表示特性に合わせることができる。
【発明を実施するための最良の形態】
【００２０】
以下、本発明の一実施の形態を図に従って説明する。
（第１の実施の形態）
図１は、本発明の第１の実施の形態を示すブロック図である。本実施の形態に係るシステムは、ＴＶ受像機１００とリモコン送信機１４０及びデジタルカメラ１５０で構成されている。ＴＶ受像機１００は、アンテナ１０１に接続されたチューナ１０２を有し、チューナ１０２は選局制御部１０３により、受信周波数を制御される。この受信周波数制御されたチューナ１０２により受信された特定局のＴＶ信号は、ＶＩＦ／ＳＩＦセレクタ１０４により、音声信号と映像信号とに分離される。分離された音声信号は、音声多重復調／ＰＮＬ１０５により復調され、音声出力回路１０６を介してスピーカ１０７に供給されることにより、スピーカ１０７から音声として出力される。
【００２１】
前記ＶＩＦ／ＳＩＦセレクタ１０４により分離された映像信号は、映像信号処理部１０８に入力される。映像信号処理部１０８は、映像・色信号処理回路１０９、クロマ信号出力回路１１０及びテストパターン生成回路１２１を有している。そして、前記映像信号は、映像・色信号処理回路１０９及びクロマ信号出力回路１１０を介して、表示駆動回路１１１に出力され、前記テストパターン生成回路１２１により生成されたテストパターン映像信号は、クロマ信号出力回路３０８を介して、表示駆動回路１１１に出力される。表示駆動回路１１１は、ＬＣＤ、ＰＤＰ、ＦＥＤ等からなる平面型で矩形の表示パネル１１２を駆動する回路であって、Ｘドライバ１１３とＹドライバ１１４とを有し、前記クロマ信号出力回路１１０からの出力はＸドライバ１１３に与えられる。
【００２２】
前記ＶＩＦ／ＳＩＦセレクタ１０４により分離された映像信号は、さらに制御回路１１５にも出力される。この制御回路１１５は、ＣＰＵ、このＣＰＵが動作するためのプログラムを記憶したＲＯＭ、ワーク用のＲＡＭ及びその周辺回路で構成されている。そして、前記表示パネル１１２において区分された表示領域毎の補正データメモリ１１６を有し、前記クロマ信号出力回路１１０、Ｘドライバ１１３及びＹドライバ１１４等の各部を制御する。
【００２３】
この制御回路１１５には、操作入力部１１７、リモコンデコーダ１１８及び画面計測部１１９が接続されている。操作入力部１１７には電源ボタンや選局ボタン等の各種操作ボタンが設けられている。リモコンデコーダ１１８には、赤外線受光センサ１２０が接続され、赤外線受光センサ１２０は、リモコン送信機１４０から送信される赤外線信号を受信する。
【００２４】
画面計測部１１９は、後述するビデオ／音声入力回路１２９から入力される、デジタルカメラ１５０から送信された画像を一時的に記憶する画像メモリ１２５、この画像メモリ１２５に一時的に記憶された画像を座標変換及び歪曲補正する座標変換／歪曲補正部１２６、及びこの座標変換及び歪曲補正された画像の、輝度ムラ、ガンマ特性、色バランス等の表示特性に関連する要素の状態を検出する検出部１２７を有している。そして、この検出部１２７により検出され輝度ムラ、ガンマ特性、色バランス等の画質に関連する要素の状態が前記制御回路１１５に入力されるように構成されている。
【００２５】
このＴＶ受像機１００には、ビデオ／音声入力端子１２８が設けられており、このビデオ／音声入力端子１２８には、ケーブル１９０を介して、デジタルカメラ１５０のビデオ出力端子１５１が接続される。ビデオ／音声入力端子１２８は、ビデオ／音声入力回路１２９を介して、前記画像メモリ１２５に接続されている。
【００２６】
なお、前記表示駆動回路１１１のＹドライバ１１４には、ＤＣ／ＤＣコンバータ１３０が接続されている。また、デジタルカメラ１５０は、電子ファインダー／モニター表示部１５２等を有している。リモコン送信機１４０は、略矩形の箱体であって上面部には操作キー１４１が配置されている。
【００２７】
図２は、前記リモコン送信機１４０の回路構成を示すブロック図である。リモコン送信機１４０は、マイコン１４２を有しており、このマイコン１４２には、前記操作キー１４１が接続されているとともに、送信コードエンコーダ１４３が接続され、この送信コードエンコーダ１４３に送信部１４４を介して赤外ＬＥＤ４５が接続されている。
【００２８】
図３は、前記デジタルカメラ１５０の回路構成を示すブロック図である。図において、ＣＣＤ１５３は光学系により結像された被写体画像を電気信号に変換して出力し、アンプ１５４はこの電気信号を増幅する。Ａ／Ｄコンバータ１５５は、この増幅されたアナログ信号をデジタル信号に変換してＴＧ（Timming Generater）１５６に入力する。このＴＧ１５６は、ＣＣＤ１５３を駆動する駆動回路（Driver）１５７を制御するタイミング信号を発生し、駆動回路１５７は、ＴＧ１５６からのタイミング信号に基づいてＣＣＤ１５３を駆動する。
【００２９】
圧縮／伸張部１５８は、ＴＧ１５６を介して取り込んだデジタル画像データを符号化／復合化により圧縮／伸張処理する。ＳＧ（Signal Generater）１５９は、デジタル画像データに同期信号等を付加して、デジタルビデオ信号を作成する。この作成されたデジタルビデオ信号は、ＶＲＡＭ（ビデオＲＡＭ）１６０に記憶されるとともに、Ｄ／Ａコンバータ１６１、及びアンプ１６２を介して、前記ビデオ出力端子１５１と電子ファインダー／モニター表示部１５２に与えられ、電子ファインダー／モニター表示部１５２は入力されたアナログビデオ信号に基づいて液晶を駆動して画像を表示する。
【００３０】
キー入力部１６３には、電源のオン・オフ時に操作される電源キーや画像データを後述するフラッシュメモリ１６８に記憶させる際に操作されるシャッターキー、その他の機能キーが設けられている。
【００３１】
ＣＰＵ１６４は、これらキー入力部１６３から入力されるキー操作情報とＲＯＭ１６５内に格納されているプログラムに基づき、ＲＡＭ１６６の一部をワークエリアとして使用しつつ動作し、このデジタルカメラ１５０において必要な全ての処理を実行するとともに各部を制御する。ＤＲＡＭ１６７は、ＣＰＵ１６４の指示により取り込んだデジタル画像データを一時記憶するメモリである。フラッシュメモリ１６８は複数個の記憶領域を有し、各記憶領域に、圧縮された画像データを記憶するメモリである。Ｉ／Ｏポート１６９は、シリアル信号に変換された画像データ等を入出力するインターフェースであり、シリアルＩ／Ｏ端子１７０が接続されている。
【００３２】
以上の構成に係る本実施の形態において、ユーザが本システムを使用するに際してユーザは、デジタルカメラ１５０を表示パネル１１２の前方床面上であって、表示パネル１１２の全体を撮影できる位置に固定しておく。この状態において、ユーザがリモコン送信機１４は、マイコン１４２により制御されて図４（ａ）のフローチャートに示すように動作する。先ず、常時監視している操作キー１４１の状態に基づき、キー操作があったか否かを判断し（ステップＲ１）、キー操作があるまで待機する。キー操作があったならば、それが「画面調整キー」の操作であるか否かを判断する（ステップＲ２）。「画面調整キー」の操作ではなく、チャンネル変更キーや音量調整キー等の他のキー操作であった場合には、当該リモコン送信機１４１の機器コードとともに、当該キーに対応するコードを赤外線送信する（ステップＲ３）。「画面調整キー」の操作であった場合には、当該リモコン送信機１４１の機器コードとともに、「画面調整キー」のコードを赤外線送信する（ステップＲ３）。
【００３３】
一方、デジタルカメラ１５０は、ＲＯＭ１６５に格納されているプログラムに基づきＣＰＵ１６４が処理を実行することにより、図４（ｂ）のフローチャートに示すように動作する。撮影モードが設定されているか否かを判断し（ステップＣ１）、撮影モードが設定されていない場合には、その他の処理を実行する（ステップＣ２）。また、撮影モードが設定されている場合には、カメラ部で撮影動作を行う（ステップＣ３）。すなわち、キー入力部１６３に設けられているシャッターキー操作、又はシャッターキーの操作を伴うことなく自動的に、ＣＣＤ１５３から取り込んだ信号を圧縮／伸張部１５８で圧縮して、フラッシュメモリ１６８に記憶させる。
【００３４】
これにより、フラッシュメモリ１６８には、表示パネル１１２の表示面の画像が格納される。このとき、後述するように表示パネル１１２には、所定のテストパターンまたはカラーチャートが表示されていることから、フラッシュメモリ１６８には、このテストパターン又はカラーチャートが表示されている状態の表示パネル１１２を含む画像データが格納されることとなる。引き続き、この表示パネル１１２の画面を含む画像データをビデオ出力端子１５１から出力する。これにより、テストパターン画面を含むの画像データは、ケーブル１９０を介してＴＶ受像機１００側に送信されることとなる。
【００３５】
他方、すなわち、ＴＶ受像機１００は、電源がオンとなっており表示パネル１１２が表示動作している状態において、制御回路１１５による制御に伴って、図４（ｃ）のフローチャートに示すように動作する。前記ステップＲ３又はステップＲ４での処理によりリモコン送信機１４０側から送信されたリモコンコードを受信して、リモコンデコーダ１１８で復号処理する（ステップＴ１）。そして、この復号したリモコンコードに基づき、当該ＴＶ受像機２００に対応するリモコン送信機１４０のリモコンコードを受信したか否かを判断する（ステップＴ２）。対応するリモコン送信機１４０のリモコンコードでない場合には、以降の処理を実行することなく、リターンする。対応するリモコン送信機１４０のリモコンコードである場合には、「画面調整キー」コードを受信したか否かを判断し（ステップＴ３）、「画面調整キー」コードではなく、チャンネル変更キーや音量調整キー等の他のコードであった場合には、その他キーに対応する処理を実行する（ステップＴ４）。
【００３６】
また、「画面調整キー」コードを受信した場合には、テストパターン生成回路１２１で所定のテストパターン、又はカラーチャートを生成し、表示パネル１１２に表示させる（ステップＴ５）。したがって、前述のように、デジタルカメラ１５０がこの状態で撮影動作を行うことにより、フラッシュメモリ１６８には、このテストパターン又はカラーチャートが表示されている状態の表示パネル１１２を含む画像データが格納され、この画像データがケーブル１９０を介してＴＶ受像機１００側に送信されたこととなる。
【００３７】
引き続き、このデジタルカメラ１５０側からＴＶ受像機１００側に送信された画像をビデオ／音声入力端子１２８より入力させて（ステップＴ６）、この入力画像から、表示パネル１１２の画像領域を抽出する（ステップＴ７）。しかし、表示パネル１１２の画像領域にあっては、前述のようにデジタルカメラ１５０を表示パネル１１２の前方床面上に配置して撮影したものであることから、表示パネル１１２を斜め下方方向から撮像したものであって、本来矩形の表示パネル１１２が台形に撮影されている。したがって、この矩形の表示パネル１１２が台形に撮影されている撮影画像の画像データを座標変換、又は歪曲補正処理することにより、表示パネル１１２を略正面から見た本来の矩形である画像データを生成する（ステップＴ８）。
【００３８】
次に、操作入力部１１７でのユーザの操作に基づき、輝度ムラの調整処理が指示されたか否かを判断する（ステップＴ９）。輝度ムラの調整処理が指示された場合には、前記送信されてきた表示パネル１１２の表示面の画像（画面画像）から輝度ムラ領域を検出する（ステップＴ１０）。そして、この検出した輝度ムラ領域の輝度ムラが所定より大きいか否かを判断し（ステップＴ１１）、大きくない場合にはステップＴ１２の処理を行うことなく、ステップＴ１１からステップＴ２３に進む。また、大きい場合には、輝度ムラの領域と輝度ムラの程度に応じて、表示駆動回路１１１を制御して、当該領域の輝度を調整する（ステップＴ１２）。
【００３９】
また、前記ステップＴ９での判断の結果、輝度ムラの調整が指示されなかった場合には、ガンマ調整が指示されたか否かを判断する（ステップＴ１３）。ガンマ調整が指示された場合には、前記送信されてきた表示パネル１１２の表示面の画像（画面画像）から出力輝度の階調特性を検出する（ステップＴ１４）。そして、この検出した出力輝度の階調特性である出力輝度データからガンマ特性を算出し（ステップＴ１５）、この算出したガンマが現在表示パネル１１２に設定されている設定値と異なるか否かを判断する（ステップＴ１６）。設定値と異なることなく同一である場合には、ステップＴ１７の処理を行うことなく、ステップＴ１６からステップＴ２３に進む。また、異なる場合には、表示パネル１１２のガンマ特性を、設定されている所定のガンマ特性、つまり予め制御回路１１５のＲＯＭに記憶してあるガンマが異なる場合に設定すべき所定のガンマ特性に調整する（ステップＴ１７）。
【００４０】
また、前記ステップＴ１３での判断の結果、ガンマ調整が指示されなかった場合には、色温度又は色バランス調整が指示されたか否かを判断する（ステップＴ１８）。色温度又は色バランス調整が指示された場合には、前記送信されてきた表示パネル１１２の表示面の画像（画面画像）から出力の色度座標を検出する（ステップＴ１９）。そして、この検出した色度座標から色温度又は色バランスを算出し（ステップＴ２０）、この算出した色バランスが現在表示パネル１１２に設定されている設定値と異なるか否かを判断する（ステップＴ２１）。設定値と異なることなく同一である場合には、ステップＴ２１の処理を行うことなく、ステップＴ２１からステップＴ２３に進む。また、異なる場合には、表示パネル１１２の色温度又は色バランスを、所定の色温度又は色バランス、つまり予め制御回路１１５のＲＯＭに記憶してある色温度又は色バランスが異なる場合に設定すべき所定の色温度又は色バランスに調整する（ステップＴ２２）。そして、以上の処理が終了したならば、表示パネル１１２にてのテストパターン又はカラーチャートの表示を中止し、通常表示に戻す（ステップＴ２３）。
【００４１】
図５は、本実施の形態における表示パネル１１２の輝度ムラの検出と補正処理の処理手順を示すフローチャートであり、図６はこのフローチャートに対応する動作遷移図である。制御回路１１５はこのＴＶ受像機１００の電源がオンとなっている状態において、前記プログラムに基づき、図５のフローチャートに示すように処理を実行する。なお、このとき表示パネル１１２に任意の放送番組等の画像を表示させておいてもよいし、画像を表示させることなく表示パネル１１２を表示動作せておいてもよいし、あるいは、後述するいずれかのテストパターンを表示パネル１１２に表示させておいてもよい。
【００４２】
まず、操作入力部１１７でのユーザの操作による指示、又は予めプログラムされている画面特性の定期的な調整処理周期に基づき、画面特性の調整処理を行うべきタイミングであるか否かを判断し（ステップＳ１０１）、画面特性の調整処理を行うべきタイミングでない場合には、その他の調整処理に移行する（ステップＳ１０２）。
【００４３】
また、画面特性の調整処理を行うべきタイミングである場合には、表示動作している表示パネル１１２（図６（Ａ））を撮影した（図６（Ｂ））デジタルカメラ１５０からビデオ出力信号を入力させる（ステップＳ１０３）。したがって、このステップＳ１０３での処理により、図６（Ｃ）に示すように、表示パネル１１２の全体画像を含む撮影画像Ｐ１が得られる。しかし、この撮影画像Ｐ１にあっては、表示パネル１１２を任意の角度から撮像したものであるから、図６（Ｃ）に示したように、矩形の表示パネル１１２が台形に撮影されている。したがって、この矩形の表示パネル１１２が台形に撮影されている撮影画像の画像データから、表示パネル１１２の表示面である画面画像の領域を切り出し、この切り出した画面画像の領域を座標変換、又は歪曲補正処理することにより、表示パネル１１２の表示面を略正面から見た本来の矩形である画像データを生成する（ステップＳ１０４、図６（Ｄ））。このステップＳ１０４での処理により、図６（Ｅ）に示すように、表示パネル１１２が本来の矩形である画像Ｐ２が得られる。
【００４４】
次に、操作入力部１１７でのユーザの操作による指示、又は予めプログラムされている定期的な輝度ムラの調整周期に基づき、輝度ムラの調整処理を行うべきタイミングであるか否かを判断し（ステップＳ１０５）、輝度ムラの調整処理を行うべきタイミングでない場合には、階調特性、色温度、色バランス等、その他の画面調整処理へ移行する（ステップＳ１０６）。
【００４５】
また、輝度ムラの調整処理を行うべきタイミングである場合には、前記ステップＳ１０４で補正処理された画像の撮像データから各領域の画素毎の輝度を検出する（ステップＳ１０７、図６（Ｆ））。ここで、各領域とは図６（Ｅ）に示すように、表示パネル１１２が本来の矩形である画像Ｐ２を仮想的に複数の各々等しい面積に分割した領域であり、図示においては１６等分に分割された各領域である。
【００４６】
引き続き、このステップＳ１０７で検出された画素毎の輝度値より、ブロック毎、行列毎の輝度値を算出するとともに、画面平均、行列平均、ブロック平均の各輝度値を算出する（ステップＳ１０８）。ここで、ブロックとは、前記領域よりも小さい範囲内に存在する画素群からなる輝度制御可能な単位である。また、行列毎の輝度値とは、表示パネル１１２においてＸ方向に配置されている一行の画素群からなる各行の輝度値、及びＹ方向に配列されている一列の画素群からなる各列の輝度値である。また、画面平均の輝度値とは、画面全体の画素の輝度値の平均値である。行列平均の輝度値とは、各行、列に属する画素の輝度値の平均値であり、ブロック平均の輝度値とは、当該ブロックに属する画素の輝度値の平均値である。
【００４７】
そして、このように前記輝度値あるいは平均の輝度値を算出したならば、
（１）各行列の輝度差＝各行列の輝度値−画面平均の輝度値
（２）各ブロックの輝度差＝各ブロックの輝度値−当該行列の平均輝度値
（３）各画素の輝度差＝各画素の輝度値−当該ブロック平均の輝度値
をそれぞれ算出する（ステップＳ１０９）。
ここで、式（２）において、「当該行列の平均輝度値」とは、当該ブロックと交差する行及び列の平均輝度値であり、式（３）において、「当該ブロック平均の輝度値」とは、当該画素が属するブロックのブロック平均の輝度値である。
【００４８】
次に、表示パネル１１２における最初の行及び列に対して、他より輝度が高い行列であるか否かを判断する（ステップＳ１１０）。この判断は、前記式（１）で算出した当該行列の輝度差が所定値以上であるか否かにより行う。この判断の結果、当該行及び列の輝度差が所定値以上でない場合には、ステップＳ１１１の処理を行うことなく、ステップＳ１１２に進む。しかし、当該行又は列の輝度差が所定値以上であって、他より輝度が高い行列であるならば（図６（Ｇ）参照）、当該行列の駆動電圧を下げるよう、当該行列の輝度補正データを設定し、前記補正データメモリ１１６に記憶する（ステップＳ１１１）。なお、このとき当該行のみ、又は列のみの輝度差が所定値以上であって、他より輝度が高い場合には、当該行のみ、又は列のみの駆動電圧を下げるよう、当該行列の輝度補正データを設定し、前記補正データメモリ１１６に記憶する。
【００４９】
引き続き、他より輝度が低い行列であるか否かを判断する（ステップＳ１１２）。この判断は、前記式（１）で算出した当該行列の輝度差が所定値未満であるか否かにより行う。この判断の結果、当該行及び列の輝度差が所定値未満でない場合には、ステップＳ１１３の処理を行うことなく、ステップＳ１１３に進む。しかし、当該行及び列の輝度差が所定値未満であって、他より輝度が低い行列であるならば（図３（Ｇ）参照）、当該行列の駆動電圧を上げるよう、当該行列の輝度補正データを設定し、前記補正データメモリ１１６に記憶する（ステップＳ１１３）。このとき前述と同様に、当該行のみ、又は列のみの輝度差が所定値以上であって、他より輝度が低い場合には、当該行のみ、又は列のみの駆動電圧を下げるよう、当該行列の輝度補正データを設定し、前記補正データメモリ１１６に記憶する。
なお、ステップＳ１１０で用いる所定値は正の値でありステップＳ１１２で用いる所定値は負の値であることが好ましいが、両者が同一の値であってもよい。
【００５０】
次に、以上のステップＳ１１０〜Ｓ１１３の処理を行った行列が表示パネル１１２において最後の行列であるか否かを判断する（ステップＳ１１４）。最後の行でない場合には次の行列を選択して（ステップＳ１１５）、ステップＳ１１０からの処理を繰り返す。そして、最後の行列までステップＳ１１０〜Ｓ１１３の処理を行ったならば（ステップＳ１１４；ＹＥＳ）、制御回路１１５はＸドライバ１１３及びＹドライバを制御し、各行列の駆動信号を、前記補正データメモリ１１６に記憶した当該行列の駆動信号を当該行列の輝度補正データに基づいて、補正して出力させる（ステップＳ１１６、図６（Ｈ））。これにより、図６（Ｉ）に示すように、行及び列単位の輝度ムラが補正されることとなる。
【００５１】
さらに、表示パネル１１２のブロック及び画素に対しても、以上に説明した行列と同様の処理を実行する。すなわち、表示パネル１１２における最初のブロック、画素に対して、他より輝度が高いブロック、画素であるか否かを判断する（ステップＳ１１７）。この判断は、前記式（２）（３）で算出した当該ブロック、画素の輝度差が所定値以上であるか否かにより行う。この判断の結果、当該ブロック、画素の輝度差が所定値以上でない場合には、ステップＳ１１８の処理を行うことなく、ステップＳ１１９に進む。しかし、当該行又は列の輝度差が所定値以上であって、他より輝度が高いブロック、画素であるならば、当該ブロック、画素の駆動電圧を下げるよう、当該ブロック、画素の輝度補正データを設定し、前記補正データメモリ１１６に記憶する（ステップＳ１１８）。
【００５２】
引き続き、他より輝度が低いブロック、画素であるか否かを判断する（ステップＳ１１９）。この判断は、前記式（２）（３）で算出した当該ブロック、画素の輝度差が所定値未満であるか否かにより行う。この判断の結果、当該ブロック、画素の輝度差が所定値未満でない場合には、ステップＳ１２０の処理を行うことなく、ステップＳ１１２１に進む。しかし、当該ブロック、画素の輝度差が所定値未満であって、他より輝度が低いブロック、画素であるならば、当該ブロック、画素の駆動電圧を上げるよう、当該ブロック、画素の輝度補正データを設定し、前記補正データメモリ１１６に記憶する（ステップＳ１２０）。
なお、ステップＳ１１７で用いる所定値は正の値でありステップＳ１１９で用いる所定値は負の値であることが好ましいが、両者が同一の値であってもよい。
【００５３】
次に、以上のステップＳ１１７〜Ｓ１２０の処理を行ったブロック、画素が表示パネル１１２において最後のブロック、画素であるか否かを判断する（ステップＳ１２１）。最後の行でない場合には次のブロック、画素を選択して（ステップＳ１２２）、ステップＳ１１７からの処理を繰り返す。そして、最後のブロック、画素までステップＳ１１７〜Ｓ１２０の処理を行ったならば（ステップＳ１２１；ＹＥＳ）、制御回路１１５はＸドライバ１１３及びＹドライバを制御し、各ブロック、画素の駆動信号を、前記補正データメモリ１１６に記憶した当該ブロック、画素の駆動信号を当該ブロック、画素の輝度補正データに基づいて、補正して出力させる（ステップＳ１２３、図６（Ｊ））。これにより、図６（Ｋ）に示すように、ブロック単位及び画素単位の輝度ムラも補正されることとなる。
【００５４】
図７は、本実施の形態において、表示パネルにテストパターン又はカラーチャートを表示する場合のテストパターン画像の構成例を示す図である。図において、（ａ）はガンマ（γ）特性など輝度の階調特性を検出して調整するための、輝度０％（黒）、輝度１０％（グレー）、輝度２０％（グレー）〜９０％（グレー）、輝度１００％（白）など、階調別のグレースケールの画像の例を示す。（ｂ）は、色温度や色バランス、色再現性などを検出し調整するための、ＳＭＰＴＥカラーバー（ＳＭＰＴＥ：米国映画テレビ技術者協会）等と同様に、白、黄、シアン（水色）、緑、マゼンタ（赤紫）、赤、青、黒などの色見本を並べたカラーチャート画像の例を示す。（ｃ）は、同じく、色温度や色バランス、色再現性等を検出調整するための複合型のテストパターンの画像の例を示す。
【００５５】
図８は、同じ区画領域内において、グレースケールやカラーチャートの色見本等を順次、時分割式に切り替えて表示する動的やテストパターンの例であり、リモコン送信機に内蔵の小型センサで、画面の同じ点のみ撮影や検出する場合にも、複数の異なる色見本パターンを順に撮影や検出することができる。
【００５６】
（第２の実施の形態）
図９は、本発明の第２の実施の形態を示すブロック図である。本実施の形態に係るシステムは、ＴＶ受像機２００とデジタルカメラ２５０で構成されている。ＴＶ受像機２００は、アンテナ２０１に接続されたチューナ２０２を有し、チューナ２０２は選局制御部２０３により、受信周波数を制御される。この受信周波数制御されたチューナ２０２により受信された特定局におけるＴＶ信号の映像信号は、ビデオＩＦ２０４を介して映像信号処理部２０８に入力される。映像信号処理部２０８は、映像・色信号処理回路２０９とクロマ信号出力回路２１０を有しており、前記映像信号は、映像・色信号処理回路２０９及びクロマ信号出力回路２１０を介して、表示駆動回路２１１に出力される。表示駆動回路２１１は、ＬＣＤ、ＰＤＰ、ＦＥＤ等からなる平面型で矩形の表示パネル２１２を駆動する回路であって、Ｘドライバ２１３とＹドライバ２１４とを有し、前記クロマ信号出力回路２１０からの出力はＸドライバ２１３に与えられる。
【００５７】
前記ビデオＩＦ２０４からの映像信号は、さらに制御回路２１５にも出力される。この制御回路２１５は、ＣＰＵ、このＣＰＵが動作するためのプログラムを記憶したＲＯＭ、ワーク用のＲＡＭ及びその周辺回路で構成されており、前記クロマ信号出力回路２１０、Ｘドライバ２１３及びＹドライバ２１４等の各部を制御する。この制御回路２１５には、操作入力部２１７、リモコンデコーダ２１８が接続されている。操作入力部２１７には電源ボタンや選局ボタン等の各種操作ボタンが設けられている。リモコンデコーダ２１８には、赤外線受光センサ２２０が接続されている。
【００５８】
また、このＴＶ受像機２００には、前記ビデオＩＦ２０４に接続されたビデオ／音声入力端子２２８とＲＧＢ入力部２２９とが設けられている。ビデオ／音声入力端子２２８とＲＧＢ入力部２２９には、各々ケーブル２４０、２４１を介して、デジタルカメラ２５０のビデオ出力端子２５１が接続され、デジタルカメラ２５０は、ＬＣＤ等で構成される内蔵モニター２５２等を有している。
【００５９】
図１０は、前記デジタルカメラ２５０の回路構成を示すブロック図である。この回路には、ＣＰＵ２５３を有する制御回路２５４が設けられており、ＣＰＵ２５３にはプログラムを格納したプログラムメモリ２５５、データメモリ２５６が接続されている。そして、ＣＰＵ２５３がプログラムメモリ２５５に格納されたプログラムに基づき、データメモリ２５６の一部をワークエリアとして用いて動作することにより、制御回路２５４は各部を制御する。電源回路２５７は、電池２５８からの電力を制御回路２５４に与えるものであり、ストロボ２５９がストロボ駆動回路２６０を介して接続されている。
【００６０】
撮影制御回路２６１は、制御回路２５４からの命令に従って、レンズ駆動部２６２、シャッタ絞り駆動部２６３、ＣＣＤ駆動回路２６４及び撮像信号処理部２６５を制御するものであり、レンズ駆動部２６２はレンズ２６６を駆動し、シャッタ絞り駆動部２６３はシャッタ機能を有する絞り２６７を駆動し、ＣＣＤ駆動回路２６４は撮像素子２６８を駆動する。撮像信号処理部２６５は、撮像素子２６８からの信号を処理するＣＤＳ２６９、ＣＤＳ２６９からの信号を増幅するＡＧＣ２７０、ＡＧＣ２７０からの信号をＡ／Ｄ変換するＡ／Ｄ変換器２７１、Ａ／Ｄ変換されたデジタル画像データをＲＧＢに分離する色分離部２７２、分離されたＲ，Ｇ，Ｂデータを増幅する増幅部２７３、この増幅部２７   からのデータをカラー補間、カラー補正するカラー補間補正部２７４、カラー補間、カラー補正された画像データをガンマ補正するガンマ補正部２７５、このガンマ補正されたＲＧＢ画像データを制御回路２５４に出力するとともに、ＹＵＶデータを画像バッファ２７７に出力するカラーＭＴＸ２７６、及び前記増幅部２７３を制御するＷＢ制御部７８が設けられている。
【００６１】
また、輝度・色度計測部７９には、前記色分離部２７２により分離されたＲ，Ｇ，Ｂの各輝度を計測するＲ輝度計測部７１、Ｇ輝度計測部７２、Ｂ輝度計測部７３、これら各計測部７１〜７３により計測された輝度に基づき、色度座標及び色温度を計測する色度座標・色温度計測部７４が設けられている。さらに、この色度座標・色温度計測部７４の計測結果に基づき色バランスを計測する色バランス計測部７５、前記各計測部７１〜７３により計測された輝度に基づき、グレースケール階調を計測するグレースケール階調計測部２６７、このグレースケール階調計測部７６の計測結果に基づき、表示ガンマ特性を計測する表示ガンマ特性計測部７７が設けられている。
【００６２】
また、制御回路２５４には、操作入力部２７８が入力回路２７９を介して接続され、ＵＳＢなど外部データ入出力端子２８０が入出力ＩＦ２８１を介して接続され、外部メモリ媒体２８２が外部メモリＩＦ回路２８３を介して接続されて、外部データ入出力端子２８０には、プリンター装置２８４やＰＣ及びＴＶモニター２８５が接続される。
【００６３】
さらに、制御回路２５４には、画像処理部２８６、圧縮符号化／伸張復号化部２８９、表示ガンマ補正部２９０、２９５、及びテストパターン画像生成部２９８が接続されている。画像処理部２８６は、内蔵モニター２５２に画像を表示する際の処理を行うものであって、表示ガンマ補正部２８７とカラー補正部２８８とを備えており、圧縮符号化／伸張復号化部２８９は画像データの圧縮符号化及び伸張復号化を行うものである。表示ガンマ補正部２９０は、カラー補正部２９１とビデオ信号変換部２９２とを介してビデオ信号出力部２９３とＲＧＢ出力部２９４とに接続され、このビデオ信号出力部２９３とＲＧＢ出力部２９４とが前記ビデオ出力端子２５１（図９）に接続されている。また、表示ガンマ補正部２９５は、カラー補正部２９６を介して表示駆動部２９７に接続され、この表示駆動部２９７は、前記内蔵モニター２５２に表示を駆動する。テストパターン画像生成部２９８は、前述したテストパターンやカラーチャートを生成する。
【００６４】
以上の構成に係る本実施の形態において、デジタルカメラ２５０は、プログラムメモリ２５５に格納されているプログラムに基づきＣＰＵ２５３が処理を実行して制御回路２５４が起動することにより、図１１及び図１２のフローチャートに示すように動作する。ユーザによる操作入力部２７８での操作により、画像の再生モードの設定又はビデオ信号の外部出力が指示されたか否かを判断し（ステップＳ２０１）、指示されない場合にはその他の処理へ移行する（ステップＳ２０２）。画像の再生モードの設定又はビデオ信号の外部出力が指示された場合には、同様にユーザによる操作入力部２７８での操作により、ビデオ信号を外部モニター特性に応じて自動補正するが選択されたか否かを判断し（ステップＳ２０３）、選択されない場合には後述する図１２のステップＳ２４２に進む。ビデオ信号を外部モニター特性に応じて自動補正するが選択された場合には、「カメラを外務モニター画面に向けて下さい。」の旨のガイダンスを内蔵モニター２５２に表示させる。ユーザはこのガイダンスを視認したユーザは、レンズ２６６がＴＶ受像機２００の表示パネル２１２を向いた状態にこのデジタルカメラ２５０を固定する。
【００６５】
次に、操作入力部２７８での操作により、ガンマ特性の補正が選択されたか否かを判断し（ステップＳ２０５）、選択されない場合には、後述するステップＳ２１８に進む。ガンマ特性の補正が選択された場合には、ガンマ計測用のテストパターン（グレースケール等）を生成し（ステップＳ２０６）、このテストパターンを連続画像としてビデオ出力端子２５１からＴＶ受像機２００側にビデオ出力する（ステップＳ２０７）。これにより、ＴＶ受像機２００の表示パネル２１２には、前記ガンマ計測用のテストパターンが表示されることとなる。このとき、前述のようにデジタルカメラ２５０のレンズ２６６はＴＶ受像機２００の表示パネル２１２を向いた状態とされていることから、表示パネル２１２に表示されたテストパターンが撮像素子２６８に結像されて一定のタイミング毎に撮像されるとともに、内蔵モニター２５２に表示される。
【００６６】
すると、デジタルカメラ２５０は、撮像画像から外部モニター画面（表示パネル２１２）の画像（テストパターン画像）を抽出する（ステップＳ２０８）。さらに、この画面の画像からテストパターンのＲＧＢ輝度を検出して、輝度Ｙに変換し（ステップＳ２０９）、テストパターン（テストパターン自体）の階調毎の輝度Ｙと撮像計測輝度Ｙ（ステップＳ２０９で変換した輝度Ｙ）とを対応付けてデータメモリ２５６に記憶する（ステップＳ２１０）。引き続き、次の階調のテストパターンに切り替えて（ステップＳ２１１）、全ての階調で計測したか否かを判断し（ステップＳ２１２）、全ての階調での計測を終了するまで、ステップＳ２０６からのの処理を繰り返す。したがって、ステップＳ２１２の判断がＹＥＳとなった時点においては、データメモリ２５６に、全ての階調におけるテストパターンの階調毎の輝度Ｙと撮像計測輝度Ｙとが対応付けられて記憶されることとなる。
【００６７】
次に、階調毎の画面の計測輝度（撮影計測輝度）から、外部モニター画面のシステムガンマγｍを算出して内蔵モニター２５２に表示し（ステップＳ２１３）、これを視認したユーザによる操作入力部２７８での操作により、ビデオ出力のガンマを補正する指示がなされたか否かを判断する（ステップＳ２１４）。この指示がない場合には、ステップＳ２１５の処理を行うことなく、ステップＳ２１６に進む。また、前記指示があった場合には、下記例次式により、ビデオ出力信号のガンマ特性を、ガンマγｃだけ補正するよう設定する（ステップＳ２１５）。
（例）γｃ＝１．０／γｍ
【００６８】
さらに、操作入力部２７８での操作により、内蔵モニター２５２をガンマ補正するが選択されたか否かを判断し（ステップＳ２１６）、選択されない場合にはステップＳ２１７の処理を行うことなく、図１２のステップＳ２１８に進む。内蔵モニター２５２をガンマ補正するが選択された場合には、下記例次式により、内蔵モニター２５２のガンマが、外部モニターのシステムガンマγｍに略等しくなるように、内蔵モニター２５２のガンマ補正値γｄを設定する（ステップＳ２１７）。
（例）γｄ＝γｍ／１
【００６９】
また、操作入力部２７８での操作により、色温度の自動補正が指示されたか否かを判断し（図１２、ステップＳ２１８）、指示されない場合には後述するステップＳ２２８に進む。色温度の自動補正が指示された場合には、色温度用のテストパターン（カラーチャート）又は白色／グレイのパターンを生成し（ステップＳ２１９）、このテストパターンを連続画像としてビデオ出力端子２５１からＴＶ受像機２００側にビデオ出力する（ステップＳ２２０）。さらに、前述と同様に、撮像画像から外部モニター画面（表示パネル２１２）の画像（テストパターン画像）を抽出する（ステップＳ２２１）、この抽出された画面画像からテストパターンのＲＧＢ各輝度を検出する（ステップＳ２２２）。引き続き、この検出したＲＧＢの輝度から色度座標を算出し、この算出した色度座標から色温度を算出して内蔵モニター２５２に表示する（ステップＳ２２３）。
【００７０】
これを視認したユーザによる操作入力部２７８での操作により、ビデオ出力の色温度を補正する指示がなされたか否かを判断し（ステップＳ２２４）、この指示がない場合には、ステップＳ２２５の処理を行うことなく、ステップＳ２２６に進む。また、前記指示があった場合には、外部モニターの色温度が所望の色温度になるように、ビデオ出力の色温度補正値を設定する（ステップＳ２２５）。さらに、操作入力部２７８での操作により、内蔵モニター２５２の色温度を補正するが選択されたか否かを判断し（ステップＳ２２６）、選択されない場合にはステップＳ２２７の処理を行うことなく、ステップＳ２２８に進む。内蔵モニター２５２の色温度を補正するが選択された場合には、内蔵モニター２５２の色温度が、外部モニターの色温度に略等しくなるように、色温度補正値を設定する（ステップＳ２２７）。
【００７１】
また、操作入力部２７８での操作により、色バランスの自動補正が選択されたか否かを判断し（ステップＳ２２８）、選択されない場合には、後述するステップＳ２４２に進む。色バランスの自動補正が選択された場合には、色バランス計測用の色見本のテストパターンを生成し（ステップＳ２２９）、このテストパターンを連続画像としてビデオ出力端子２５１からＴＶ受像機２００側にビデオ出力する（ステップＳ２３０）。そして、前述同様に、撮像画像から外部モニター画面（表示パネル２１２）の画像（テストパターン画像）を抽出し（ステップＳ２３１）、この抽出された画面の画像からテストパターンのＲＧＢ輝度を検出する（ステップＳ２３２）。さらに、この検出したＲＧＢの各輝度から色度座標を算出し（ステップＳ２３３）、前記テストパターンの各色見本の色度座標とステップＳ２３３で計測された色度座標とを対応付けてデータメモリ２５６に記憶する（ステップＳ２３４）。引き続き、次の色見本のテストパターンに切り替えて（ステップＳ２３５）、全ての色見本で計測済みとなったか否かを判断し（ステップＳ２３６）、全ての色見本での計測を終了するまで、ステップＳ２３０からの処理を繰り返す。したがって、ステップＳ２３６の判断がＹＥＳとなった時点においては、データメモリ２５６に、全ての色見本の色度座標と撮像画像から計測された色度座標が対応付けられて記憶されることとなる。
【００７２】
次に、対応する各色見本の色度座標から、外部モニターの色バランスを算出して内蔵モニター２５２に表示し（ステップＳ２３７）、これを視認したユーザによる操作入力部２７８での操作により、ビデオ出力の色バランスを補正する指示がなされたか否かを判断する（ステップＳ２３８）。この指示がない場合には、ステップＳ２３９の処理を行うことなく、ステップＳ２４０に進む。また、前記指示があった場合には、外部モニターが所望の色バランスとなるように、色バランス補正値を設定する（ステップＳ２３９）。さらに、操作入力部２７８での操作により、内蔵モニター２５２の色バランスを補正するが選択されたか否かを判断し（ステップＳ２４０）、選択されない場合にはステップＳ２４１の処理を行うことなく、ステップＳ２４２に進む。内蔵モニター２５２の色バランスを補正するが選択された場合には、内蔵モニター２５２の色バランスが、外部モニターの色バランスに略等しくなるように、色バランス補正値を設定する（ステップＳ２４１）。
【００７３】
引き続き、選択されている画像を復号再生して（ステップＳ２４２）、再生画像を、設定されている内蔵モニターのガンマ、色温度、色バランスに基づいて内蔵モニター２５２に表示する（ステップＳ２４３）。さらに、再生画像のビデオ信号を、設定されているビデオ出力のガンマ／色温度／色バランスに基づいて、ビデオ出力端子２５１から出力する（ステップＳ２４４）。
【００７４】
なお、この図１２及び図１３に示した一連のフローチャートにおいては、ビデオ信号をＴＶ受像機２００のモニター特性に応じて制御動作する場合を示したが、プリンター装置２８４を対象として、該プリンター装置２８４の印刷特性応じてデジタルカメラ２５０を制御動作させるようにしてもよい。この場合には、プリンター装置２８４により、予め複数枚テストパターン画像を印刷出力させ、この複数枚のテストパターン印刷画像に対して、ステップＳ２０５以下の処理を実行すればよい。
【００７５】
図１３は、デジタルカメラとモニターＴＶにおけるガンマ特性の設定例を示す図である。一般的に、ＣＲＴやＴＶモニター等の入出力特性は、元々のブラウン管（ＣＲＴ）における輝度特性が非線形で、ガンマ＝２．２〜２．５程度といわれている。例えば、図１３に示すように、標準的なデジタルカメラでは、撮像素子における撮像記録時の輝度の入出力特性は、一般のＣＲＴやＴＶモニター機器の標準的な入出力特性であるガンマ（γ）＝２．２等に合わせて、撮像記録時におけるガンマ特性を、
γ＝１／２．１＝０．４５（すなわち、Ｙ＝Ｘ０．４５）
にガンマ補正された画像データに変換して記録され、ビデオ信号出力として外部モニターに出力される場合も、このように補正調整されたビデオ信号が出力される。
【００７６】
このとき、デジタルカメラで撮影された画像のビデオ出力を、入出力特性がγ＝２．２に設定されている標準的なＴＶモニターに入力して再生すると、ＴＶモニターにおける入出力特性（Ｙ＝Ｙ＝Ｘ２．２）と合わせた、トータルでの入出力特性（システムガンマ）は、
（Ｘ０．４５）２．２＝Ｘ１．０（すなわち、システムガンマ＝１．０）
となるので、ＣＲＴやモニターの入出力特性が非線形であっても、再生して見る場合のトータルの入出力特性は、線形のＹ＝Ｘ１．０となるので、自然な階調特性で再生観賞できる仕組みとなる。
【００７７】
ところが、このような標準的なガンマ特性とは異なるＴＶモニターやＴＶ受像機、あるいは、ガンマ（γ）＝２．２であっても、ユーザが出力の輝度やコントランストなどを大きく調整している場合、あるいは、パソコンに接続されたＴＶモニターでは、ＯＳやアプリケーションでの画像設定によって、異なるガンマ特性に補正されて使用されている場合が多く、例えばＤＴＰや印刷における標準とされるγ＝１．８（Ｙ＝Ｘ１．８）を標準に、画面特性の設定機能がサポートされているＯＳもある。
【００７８】
このような、γ＝２．２とは異なるガンマ特性のＴＶモニターやＴＶ受像機に、デジタルカメラで撮影された画像データを出力する場合には、図１４に示すように、例えば、γ＝１．８のＴＶモニター画像やＴＶ受像機で再生すると、
再生画像のシステムガンマγ＝０．４５×１．８＝０．８１
すなわち、Ｙ＝（Ｘ０．４５）１．８＝Ｘ０．８１となり、
黒〜白を同じとすると、上向きに凸の非線形の入出力特性となり、中間階調の輝度がやや高く（明るく）再生されてしまう問題がある。
【００７９】
図１５〜図１７に、前述した実施の形態における、外部ＴＶモニターのガンマ特性の計測と、外部ＴＶモニターのガンマ特性に合わせて、デジタルカメラの出力信号のガンマ特性を自動的に調整する場合の動作例を示す。図１５は、外部モニターのガンマ特性をデジタルカメラで画面画像を撮影して計測する際の動作例で、これにより、デジタルカメラの撮影記録ガンマ特性と、外部モニターの表示特性との合成によるシステムガンマγｍが、例えばγｍ＝０．８１と計測されたとすると、図１６のように、計測されたシステムγ＝０．８１、所望のシステムγ＝１．０とすると、ビデオ出力回路において、γ補正値γｃ＝１．０／γｍ＝１／／０．８１＝１．２３の分だけ、ビデオ信号出力にγ補正処理を施して、ビデオ信号出力端子（又はＲＧＢ出力端子）より出力すればよい。
【００８０】
この場合には、表示γ＝１．８（システムガンマ０．８１）と標準とは異なる外部モニターに接続した場合においても、Ｙ＝（（Ｘ０．４５））１．２３＝Ｘ１．０とシステムγ＝１．０に補正することができるので、標準的なγ＝２．２に設定されている他のＴＶモニターや、内蔵のＬＣＤモニターと略同様の階調特性として画像を再生し観賞することができる。
【００８１】
一方、逆に、図１７に示すように、検出された外部モニターのガンマ特性などの画面特性に合わせて、デジタルカメラに内蔵のＬＣＤモニターの画面特性の方を補正調整するように設定することもできる。すなわち、内蔵ＬＣＤモニターのシステムガンマを外部モニターと略等しくするには、計測された外部モニターのシステムγｍ＝０．８１で、内蔵ＬＣＤモニター元のシステムγ＝１の場合、内蔵ＬＣＤモニターの表示に施すγ補正γｄを、計測されたシステムγｍと元のシステムγとの比により、例えば、内蔵ＬＣＤモニターに表示γ補正γｄ＝γｍ／（元のγ）＝０．８１／１．０＝０．８１等を補正するように設定すればよい。この場合には、内蔵ＬＣＤモニターで再生する場合のシステムの入出力特性は、Ｙ＝（（Ｘ０．４５）０．８１）２．２＝Ｘ０．８１より、システムガンマγ＝０．８１に変換できるので、（システムγ＝０．８１の）標準とは異なる外部モニターであっても、この外部モニターと略同様の階調特性とした内蔵モニターの画面で、カメラ撮影動作や撮影画像の確認が行える。
【００８２】
図１８に、輝度の階調特性を表す、ガンマ特性（輝度の入出力特性）をグレースケールで構成したテストパターン画像をカメラから、外部モニターに出力して、計測する場合の方法を示す。各入力値のグレースケールの計測出力輝度データをテーブル（表）データとしてメモリーに記憶し（ステップＳ３０１）、又は計測したモニターの入出力特性を表す関数を、Ｙ＝Ｘγに当てはめ、γ（ガンマ）を求める（ステップＳ３０２）。
【００８３】
図１９に、ビデオ信号出力のガンマ補正処理など、画像データ信号のガンマ特性や階調特性を輝度分布データの変換処理により補正処理して出力する場合のデジタル処理による補正方法の例を示す。
【００８４】
図２０は、デジタルカメラ部のビデオ信号、又は、内部ＬＣＤモニターのガンマ補正回路、色温度補正回路の構成例を示す図であり、画像データを変更せずに、内部ＬＣＤモニターの表示ガンマ特性や色温度、色バランス等を補正する場合の回路構成例を示す。図示のように、表示ガンマ補正回路３０１は、Ｒ，Ｇ，Ｂ毎に内蔵モニターの表示γを補正し、Ｒ′，Ｇ′，Ｂ′を出力する。色温度補正、色バランス補正回路３０２は、Ｒ′，Ｇ′，Ｂ′毎の利得を制御することにより、内蔵モニターの色温度、色バランスを補正して、Ｒ″，Ｇ″，Ｂ″を出力する。この色温度、色バランスを補正されたＲ″，Ｇ″，Ｂ″は画像データメモリ３０３を介して、内蔵ＬＣＤモニター３０６の表示駆動回路３０４に与えられ、表示駆動回路３０４はこれらＲ″，Ｇ″，Ｂ″に従って表示部３０５を駆動する。
【００８５】
他方、ビデオ出力の表示ガンマ補正回路３０７は、Ｒ，Ｇ，Ｂ毎にビデオ出力信号をガンマ補正し、Ｒ′，Ｇ′，Ｂ′を出力する。色温度補正、色バランス補正回路３０８は、Ｒ′，Ｇ′，Ｂ′毎の利得を制御することにより、ビデオ出力信号の色温度、色バランスを補正して、Ｒ″，Ｇ″，Ｂ″を出力する。この色温度、色バランスを補正されたＲ″，Ｇ″，Ｂ″はＲＧＢ出力されるとともに、カラーマトリクス３０９によりＹＵＶデータに変換される。ＹＵＶデータは、ＬＰＦ３１０〜３１２により濾波された後、ＮＴＳＣエンコーダ３１３によりビデオ出力信号（ＮＴＳＣコンポジット信号）に変換されて出力される。
【００８６】
図２１〜図２３は、ビデオ信号出力の色温度補正、色バランス補正の回路と動作例を示すものであり、色温度６５００Ｋ（ケルビン）の画像信号を５０００Ｋに変換する例を示すものである。図２１の回路図において、輝度・色温度計測部４００は、ＲＧＢ輝度計測４０１、色座標算出部４０２、及び色温度検出、色バランス検出部４０３を有し、この色温度検出、色バランス検出部４０３により検出された色温度６５００Ｋを色温度補正、色バランス補正部４０４に与える。一方、ガンマ補正部４０５は、画像信号のＲ，Ｇ，Ｂをガンマ補正してＲ′，Ｇ′，Ｂ′を生成し、このＲ′，Ｇ′，Ｂ′はＲＧＢ別の各利得制御部４０６、４０７、４０８に入力される。
【００８７】
色温度補正、色バランス補正部４０４は、色温度補正、色バランス補正を行って、色温度６５００Ｋを５０００Ｋに変換し、前記各利得制御部４０６、４０７、４０８に与える。各各利得制御部４０６、４０７、４０８は、この補正された色温度５０００Ｋに基づき、前記Ｒ′，Ｇ′，Ｂ′の利得を各々制御して、Ｒ″，Ｇ″，Ｂ″を出力する。この出力されたＲ″，Ｇ″，Ｂ″は、カラーマトリクス４０９によりＹ，Ｕ，Ｖデータに変換され、このＹ，Ｕ，Ｖデータは各々ＬＰＦ４１０〜４１２で濾波されてＮＴＳＣエンコーダ４１３でビデオ信号（ＮＴＳＣコンポジット信号）に変換されて、画像として表示される。
【００８８】
つまり、例えば黒体輻射の色温度毎の波長帯域のエネルギーの動体強度は、図２２（ａ）に示すように、２９００Ｋなど、色温度が低い光では波長が長い（赤に近い）帯域のエネルギーが強く、波長が短い（紫や青に近い）帯域のエネルギーが弱くなるので、赤みがかって見え、逆に、９３００Ｋと、色温度が高い光では、波長が長い（赤に近い）帯域のエネルギーが弱く、波長が短い（紫や青に近い）帯域のエネルギーが強くなるので、青みがかって見える。
【００８９】
例えば図２２（ｂ）に示すように、色度毎に応じたＲＧＢ成分の相対強度データなどから、検出された色温度（例、６５００Ｋ）に応じて、当該色温度のＲＧＢ信号の基準色温度（例、５０００Ｋ）に対する各相対強度（例、Ｒ＝０．７６、Ｇ＝１．０、Ｂ＝１．１４）を求め、それに応じて、ＲＧＢの各色差信号を、図２１に示したホワイトバランス制御回路によって、色差信号毎に、（例えば、Ｒ×１／０．７６、Ｇ×１／１、Ｂ×１／１．１４倍と）その相対強度の逆比例となるように利得を調整すれば、目標とする基準色温度（例、５０００Ｋ）のＲＧＢ信号が得られる。
【００９０】
また、図２３は、同様に色バランスの補正方法の例であり、カラーチャート等が表示された画面を撮影した画像から、検出された各色見本の色度座標や（Ｒ−Ｙ、Ｂ−Ｙなど）色差データと、色見本の本来の色度座標や色差データとの偏差を検出して、その偏差に基づいて、それを補正するように画面のバランスを（Cyan-Red軸、Magenta-Creen軸、Yellow-Blue軸など）色座標軸毎に調整することで補正することができる。
【図面の簡単な説明】
【００９１】
【図１】本発明の第１の実施の形態のシステム構成及びＴＶ受像機の回路構成を示すブロック図である。
【図２】リモコン送信機の回路構成を示すブロック図である。
【図３】デジタルカメラの回路構成を示すブロック図である。
【図４】本実施の形態におけるリモコン送信機、デジタルカメラ、ＴＶ受像機の動作を示すフローチャートである。
【図５】表示パネルの輝度ムラの検出と補正処理の処理手順を示すフローチャートである。
【図６】図５のフローチャートに対応する動作遷移図である。
【図７】テストパターン又はカラーチャートの画像の構成例を示す図である。
【図８】テストパターンの時分割切り換え例を示す図である。
【図９】本発明の第２の実施の形態を示すブロック図である。
【図１０】同実施の形態におけるデジタルカメラの回路構成を示すブロック図である。
【図１１】同実施の形態におけるデジタルカメラの動作を示すフローチャートである。
【図１２】図１１に続くフローチャートである。
【図１３】デジタルカメラとモニターＴＶにおけるガンマ特性の設定例を示す図である。
【図１４】異なるガンマ特性の外部モニターで再生した場合を示す説明図である。
【図１５】外部モニターのガンマ特性をデジタルカメラで画面画像を撮影して計測する際の動作例を示す図である。
【図１６】外部モニターのガンマに応じて、ビデオ出力のガンマを補正して出力する場合を示す説明図である。
【図１７】ビデオ出力を補正する代わりに、内蔵モニターのガンマを外部モニターに合わせる場合を示す説明図である。
【図１８】グレースケールで構成したテストパターン画像をカメラから、外部モニターに出力して、計測する場合の方法を示す図である。
【図１９】画像データ信号のガンマ特性や階調特性を輝度分布データの変換処理により補正処理して出力する場合のデジタル処理による補正方法の例を示す図である。
【図２０】デジタルカメラ部のビデオ信号、又は、内部ＬＣＤモニターのガンマ補正回路、色温度補正回路の構成例を示す図である。
【図２１】ビデオ信号出力の色温度補正、色バランス補正の回路例を示す図である。
【図２２】（ａ）は黒体輻射の分光分布特性例（５０００Ｋの各スペクトル強度を１とした場合の相対強度）を示す図であり、（ｂ）は色温度毎のＲＧＢ成分の相対強度と色温度の補正の例（相対強度の逆数で利得制御）を示す図である。
【図２３】色バランスの計測と補正の工程を示す図である。
【符号の説明】
【００９２】
１００    ＴＶ受像機
１１１    表示駆動回路
１１２    表示パネル
１１３    Ｘドライバ
１１４    Ｙドライバ
１１５    制御回路
１１６    補正データメモリ
１１７    操作入力部
１１８    リモコンデコーダ
１１９    画面計測部
１２０    赤外線受光センサ
１２１    テストパターン生成回路
１２８    ビデオ／音声入力端子
１２９    ビデオ／音声入力回路
１４０    リモコン送信機
１５０    デジタルカメラ
１５１    ビデオ出力端子
１６４    ＣＰＵ
１６５    ＲＯＭ
１６６    ＲＡＭ
２００    ＴＶ受像機
２１１    表示駆動回路
２１２    表示パネル
２１３    Ｘドライバ
２１４    Ｙドライバ
２１５    制御回路
２１７    操作入力部
２５０    デジタルカメラ
２５１    ビデオ出力端子
２５２    内蔵モニター
２５３    ＣＰＵ
２５４    制御回路
２５５    プログラムメモリ
２５６    データメモリ
２６７    グレースケール階調計測部
２６８    撮像素子
２６９    ＣＤＳ
２７０    ＡＧＣ
【図１】
0004816016.tif 000002
【図２】
0004816016.tif 000003
【図３】
0004816016.tif 000004
【図４】
0004816016.tif 000005
【図５】
0004816016.tif 000006
【図６】
0004816016.tif 000007
【図７】
0004816016.tif 000008
【図８】
0004816016.tif 000009
【図９】
0004816016.tif 000010
【図１０】
0004816016.tif 000011
【図１１】
0004816016.tif 000012
【図１２】
0004816016.tif 000013
【図１３】
0004816016.tif 000014
【図１４】
0004816016.tif 000015
【図１５】
0004816016.tif 000016
【図１６】
0004816016.tif 000017
【図１７】
0004816016.tif 000018
【図１８】
0004816016.tif 000019
【図１９】
0004816016.tif 000020
【図２０】
0004816016.tif 000021
【図２１】
0004816016.tif 000022
【図２２】
0004816016.tif 000023
【図２３】
0004816016.tif 000024